(57)【要約】【課題】水廻り器具に排水が滞留することを抑制可能なサイホン排水構造を提供する。【解決手段】サイホン排水構造１０は、洗面台２２からの排水を横方向に流す横引き管部材６０と、横引き管部材６０に接続される落し込み管６４と、落し込み管６４に接続される竪管部材６８と備えるサイホン排水管５８と、横引き管部材６０と洗面台２２の排水口部材２４との間に配置され、封水ＳＷを貯留する第１屈曲部３６と第１屈曲部３６の排水方向下流側に設けられる第２屈曲部３８とを備えた排水トラップ２８と、を有し、鉛直方向に沿って計測する排水口部材２４の排水流入口と第２屈曲部３８の上端３８Ｔとの第１の高低差をＡ、鉛直方向に沿って計測する第１屈曲部３６の内部流路の底部３６Ｂと第２屈曲部の内部流路における曲率半径内側の湾曲部分の上端３８Ｔとの高低差をＢとしたときに、比Ａ／Ｂを３８０％以上に設定している。【選択図】図１
2019214906.tif 000002
【特許請求の範囲】
【請求項１】
水廻り器具に設けられた排水口部材から排出される排水を横方向に流す横引き管と、前記横引き管の排水方向下流側に接続され、下方に向けて屈曲した落し込み管と、前記落し込み管の下流側に接続され、少なくとも下方に向けて延びる竪管と、備えるサイホン排水管と、
前記横引き管と前記水廻り器具との間に配置され、前記水廻り器具側に設けられ下方から上方に向けて方向変換して封水を貯留する第１屈曲部と、前記第１屈曲部の排水方向下流側に設けられ上方から下方に向けて方向変換する第２屈曲部と、を備えた排水トラップと、
を有し、
鉛直方向に沿って計測する前記排水口部材の排水流入口と前記第１屈曲部の内部流路の底部との第１の高低差をＡ、
鉛直方向に沿って計測する前記第１屈曲部の底部と前記第２屈曲部の内部流路における曲率半径内側の湾曲部分の上端との高低差をＢとしたときに、
比Ａ／Ｂを３８０％以上に設定した、サイホン排水構造。
【請求項２】
前記水廻り器具と前記第１屈曲部との間に設けられ鉛直方向に沿って延びる上流側配管部と、前記水廻り器具と前記第１屈曲部との間でかつ前記上流側配管部の排水方向下流側に設けられ鉛直方向に沿って延びる下流側配管部とを備え、
前記下流側配管部の内径が上流側配管部の内径よりも小径とされ、前記下流側配管部と前記上流側配管部との間に排水方向に対して交差する段差面が設けられている、請求項１に記載のサイホン排水構造。
【請求項３】
前記上流側配管部の内周面に対する前記段差面の角度が９０°〜１００°の範囲内に設定されている、請求項２に記載のサイホン排水構造。
【請求項４】
前記排水口部材と前記排水トラップとの間に、延長配管が接続されている、請求項１〜請求項３の何れか１項に記載のサイホン排水構造。
【請求項５】
前記排水口部材は、前記延長配管に排水を排出する排水排出管を備え、
前記延長配管の内径を前記排水排出管の内径よりも小径として、前記排水排出管と前記延長配管との接続部分に排水方向に対して交差する段差面を形成した、請求項４に記載のサイホン排水構造。
【請求項６】
前記延長配管は、一方の端部と他方の端部とが偏芯している、請求項４または請求項５に記載のサイホン排水構造。
【発明の詳細な説明】
【技術分野】
【０００１】
本発明は、サイホン排水構造に関する。
【背景技術】
【０００２】
サイホン排水構造は、床面上に配置され、水廻り器具からの排水を横方向に流す横引き管と、横引き管の下流側に鉛直方向に配置されてサイホン力を発生する竪管と、横引き管と竪管とを接続する落し込み管とを含んで構成されるサイホン排水管を備えている。
サイホン排水構造では、水廻り器具から排水が排出されると、最初に横引き管が満流となり、次いで竪管内が満流状態となり、竪管内で満流となった排水が落下することでサイホン排水管にサイホン力（負圧）が発生し、効率的な排水が行われるようになっている（例えば、特許文献１参照）。
【先行技術文献】
【特許文献】
【０００３】
【特許文献１】特開２０１５−９８７０２号公報
【発明の概要】
【発明が解決しようとする課題】
【０００４】
サイホン排水構造では、溜め流し等、水廻り器具に一度に流す排水の量が比較的多い場合には、横引き管、及び竪管内が常に満流状態となるため、サイホン力を継続的に発生させることができる。
【０００５】
一方、洗面台等の水廻り器具では、蛇口からある程度の水量で水を出し続けながら手等を洗う場合、言い換えれば、洗い流しを行なう場合がある。洗い流しは、溜め流しに比較して、水廻り器具に流す単位時間当たりの排水量が少ない。
水廻り器具に流す単位時間当たりの排水量が極少量の場合には、竪管が満流状態とならないため、サイホン力は発生しないが、水廻り器具に排水が溜まることは無い。
【０００６】
洗い流しの場合でも、水廻り器具に流す単位時間当たりの排水量がある程度確保される場合（但し、溜め流しよりは少量）、排水を開始してからある程度時間が経過すると、横引き管、及び竪管が満流となってサイホン排水管にサイホン力が発生する。
【０００７】
サイホン排水管にサイホン力が発生すると、サイホン排水管の単位時間当たりの排水能力、言い換えれば、上流側の排水を吸引する能力が急激に増加し、サイホン力が発生してサイホン排水管の排水能力（単位時間当たりの排水量）が、水廻り器具からの洗い流しの単位時間当たりの排水量（前述したように、溜め流しよりは少量）を上回ってしまう。これにより、水廻り器具の排水口から空気が吸い込まれ、吸い込まれた空気がサイホン排水管に流入してサイホン排水管にサイホン力が生じなくなり、サイホン排水管の排水能力が急激に低下する。
【０００８】
サイホン排水管にサイホン力が生じなくなると、水廻り器具側から落下する排水の流れの抵抗となるため、水廻り器具から排水が排出され難くなり、洗い流しによる排水が水廻り器具に滞留する場合がある。
【０００９】
しかしながら、水廻り器具に排水が滞留してからある程度時間が経過すると、再び横引き管、及び竪管が排水で満流状態となってサイホン排水管にサイホン力が発生する。これにより、水廻り器具へ排出される排水量よりもサイホン排水管の排水能力が上回るので、水廻り器具に滞留した排水が排出されて消滅するが、しばらくするとサイホン力が生じなくなるので水廻り器具に排水が滞留する。
このように、単位時間当たりの排水量がある範囲で洗い流しを続けると、水廻り器具に排水が滞留する事と、滞留した排水が排出されて消滅したりする事とが交互に繰り返されることとなり、改善の余地があった。
【００１０】
本発明は上記事実を考慮し、水廻り器具に排水が滞留することを抑制可能なサイホン排水構造の提供を目的とする。
【課題を解決するための手段】
【００１１】
請求項１に記載のサイホン排水構造は、水廻り器具に設けられた排水口部材から排出される排水を横方向に流す横引き管と、前記横引き管の排水方向下流側に接続され、下方に向けて屈曲した落し込み管と、前記落し込み管の下流側に接続され、少なくとも下方に向けて延びる竪管と、備えるサイホン排水管と、前記横引き管と前記水廻り器具との間に配置され、前記水廻り器具側に設けられ下方から上方に向けて方向変換して封水を貯留する第１屈曲部と、前記第１屈曲部の排水方向下流側に設けられ上方から下方に向けて方向変換する第２屈曲部と、を備えた排水トラップと、を有し、鉛直方向に沿って計測する前記排水口部材の排水流入口と前記第１屈曲部の内部流路の底部との第１の高低差をＡ、鉛直方向に沿って計測する前記第１屈曲部の底部と前記第２屈曲部の内部流路における曲率半径内側の湾曲部分の上端との高低差をＢとしたときに、比Ａ／Ｂを３８０％以上に設定した。
【００１２】
請求項１に記載のサイホン排水構造では、水廻り器具からの排水が比較的多い場合、横引き管の上流が排水で満水となり、その後、満水状態を維持した排水が下流に向けて流れて竪管に流れ込む。満水となった排水が重力により竪管内を落下すると、竪管内にサイホン力が発生し、竪管よりも上流側の排水は、サイホン力によって竪管に向かって吸引されて流下し、効率的に排水が行われる。
【００１３】
請求項１に記載のサイホン排水構造では、鉛直方向に沿って計測する水廻り器具の排水流入口と第１屈曲部の内部流路の底部との第１の高低差をＡ、鉛直方向に沿って計測する第１屈曲部の底部と第２屈曲部の内部流路における曲率半径内側の湾曲部分の上端との高低差をＢとしたときに、比Ａ／Ｂが３８０％以上に設定されているため、排水口の排水流入口から排水トラップまでの落差（水頭）が増加し、水廻り器具から排水トラップに向けて落下する排水の勢いが増すので、例えば、管内の空気（正圧）に打ち勝つように勢いが増した排水が配管内を落下するので、水廻り器具に排水が滞留することを抑制できる。
【００１４】
なお、水廻り器具から排水が排出されなくなると、排水方向下流側の臭気等が水廻り器具側へ排出されないように、排水トラップの第１屈曲部には、排水の一部が封水として貯留される。
【００１５】
請求項２に記載の発明は、請求項１に記載のサイホン排水構造において、前記水廻り器具と前記第１屈曲部との間に設けられ鉛直方向に沿って延びる上流側配管部と、前記水廻り器具と前記第１屈曲部との間でかつ前記上流側配管部の排水方向下流側に設けられ鉛直方向に沿って延びる下流側配管部とを備え、前記下流側配管部の内径が上流側配管部の内径よりも小径とされ、前記下流側配管部と前記上流側配管部との間に排水方向に対して交差する段差面が設けられている。
【００１６】
一例として、水廻り器具において、排水を流し洗いした場合、水と合わせて空気が配管内に入り込む場合がある。配管内に空気が入り込むと、サイホン排水管が満流になる事が遅くなり、結果として、サイホン力の発生が遅くなる場合がある。
【００１７】
請求項２に記載のサイホン排水構造では、配管内に段差面を設けることで、管径が変化する部分で排水が抵抗を受けて渦の発生が抑制され、段差面の下流側の配管内を満流にし易くなり、サイホン力を迅速に発生させることができる。
【００１８】
また、管径を途中で小径にすることで、洗い流しの場合においても段差面の下流側を早く満流にすることができる。
【００１９】
請求項３に記載の発明は、請求項２に記載のサイホン排水構造において、前記上流側配管部の内周面に対する前記段差面の角度が９０°〜１００°の範囲内に設定されている。
【００２０】
段差面の角度を９０°〜１００°の範囲内に設定することで、水廻り器具で排水が旋回することを抑制することができる。
なお、段差面の角度が１００°を超えると排水の旋回を抑制する効果が得難くなり、段差面の角度が９０°を下回ると段差面に排水中の塵等が引っ掛かり易くなると共に、塵等が溜まる原因となる。
【００２１】
請求項４に記載の発明は、請求項１〜請求項３の何れか１項に記載のサイホン排水構造において、前記排水口部材と前記排水トラップとの間に、延長配管が接続されている。
【００２２】
従来の排水構造では、排水口部材に排水トラップを接続していたため、例えば、市販の水廻り器具や排水トラップを用いて比Ａ／Ｂを３８０％以上に設定することができない。
請求項４に記載のサイホン排水構造では、水廻り器具と排水トラップとを延長配管で接続するので、市販の水廻り器具や排水トラップを用いて延長配管を１本追加するだけで容易に比Ａ／Ｂを３８０％以上に設定することができる。
【００２３】
請求項５に記載の発明は、請求項４に記載のサイホン排水構造において、前記排水口部材は、前記延長配管に排水を排出する排水排出管を備え、前記延長配管の内径を前記排水排出管の内径よりも小径として、前記排水排出管と前記延長配管との接続部分に排水方向に対して交差する段差面を形成した。
【００２４】
請求項５に記載のサイホン排水構造では、排水排出管と延長配管との接続部分に排水方向に対して交差する段差面を設けることで、管径が変化する部分で排水が抵抗を受けて渦の発生が抑制され、段差面の下流側の配管内を満流にし易くなり、サイホン力を迅速に発生させることができる。
【００２５】
請求項６に記載の発明は、請求項４または請求項５に記載のサイホン排水構造において、前記延長配管は、一方の端部と他方の端部とが偏芯している。
【００２６】
排水トラップは、排水方向上流側の端部分と、排水方向下流側の端部分とが、水平方向に偏芯しており、その偏芯距離は予め決まっている。したがって、施工の状態により、水廻り器具の排水口部材の位置や、排水トラップを接続する下流側の配管位置が、上記排水トラップの偏心距離に合っていない場合には、排水トラップを取り付けることが出来なくなる。
【００２７】
請求項６に記載のサイホン排水構造では、水廻り器具と排水トラップとの間に、長手方向の一端部と他端部とが偏芯した延長配管が接続されているため、例えば、延長配管を排水口部材と偏心配管との接続部分で相対回転させたり、延長配管と排水トラップとの接続部分で排水トラップを相対回転させたり、排水トラップと下流側の配管との接続部分で排水トラップを相対回転させることで、延長配管の排水方向上流側の端部分（排水口部材との接続部分）と排水トラップの排水方向下流側の端部分（一例として、床側から立ち上がる下流側の配管との接続部分）との偏芯距離を、排水口部材と床側から立ち上がる配管の接続部分との水平方向の偏芯距離に合わせて変更することができる。これにより、排水口部材と床側から立ち上がる配管とを、延長配管と排水トラップとで接続することができる。
【発明の効果】
【００２８】
以上説明したように本発明のサイホン排水構造によれば、水廻り器具に排水が滞留することを抑制できる、という優れた効果を有する。
【図面の簡単な説明】
【００２９】
【図１】本発明の第１の実施形態に係るサイホン排水構造を示す側面図である。
【図２】第１の実施形態に係るサイホン排水構造に用いる延長配管を示す一部を断面にした側面図である。
【図３】第１の実施形態に係るサイホン排水構造に用いる排水トラップを示す一部を断面にした側面図である。
【図４】第２の実施形態に係るサイホン排水構造に用いる排水トラップを示す一部を断面にした側面図である。
【図５】第３の実施形態に係るサイホン排水構造に用いる排水トラップを示す一部を断面にした側面図である。
【図６】（Ａ）は第４の実施形態に係るサイホン排水構造に用いる排水トラップの第１屈曲部の流路に直角な断面図であり、（Ｂ）は第２屈曲部の流路に直角な断面図であり、（Ｃ）は、段差部分を排水方向上流側から見た排水トラップの流路に直角な断面図であり、（Ｄ）は段差部分を示す排水トラップの流路に沿った断面図である。
【図７】（Ａ）は第５の実施形態に係るサイホン排水構造に用いる延長配管を示す一部を断面にした側面図であり、（Ｂ）は段差面を示す拡大断面図である。
【図８】（Ａ）は第６の実施形態に係るサイホン排水構造に用いる延長配管を示す一部を断面にした側面図であり、（Ｂ）は段差面を示す拡大断面図である。
【図９】第７の実施形態に係るサイホン排水構造に用いる排水トラップを示す一部を断面にした側面図である。
【図１０】第８の実施形態に係るサイホン排水構造に用いる排水口部材を示す一部を断面にした側面図である。
【図１１】第９の実施形態に係るサイホン排水構造に用いる延長配管を示す一部を断面にした側面図である。
【発明を実施するための形態】
【００３０】
［第１の実施形態］
図１乃至図３にしたがって、本発明の第１の実施形態に係るサイホン排水構造１０について説明する。
図１に示すように、本実施形態のサイホン排水構造１０は、複数階（図１では、所定の階のみ図示）で構成された集合住宅に用いられる。集合住宅は、排水を下方へ流す排水立て管１２を備えている。排水立て管１２は、集合住宅の上下方向（鉛直方向）に延設され、集合住宅の各階のコンクリート製のスラブ１４を貫いている。なお、本発明に係るサイホン排水構造は、集合住宅に好適に用いられるが、集合住宅以外の戸建て住宅や工場等にも用いることができる。
【００３１】
集合住宅の各階の各戸において、居室１６（図１における二点鎖線で示す壁１８の右側）の床材２０の上に本発明の水廻り器具の一例としての洗面台２２が設けられている。
【００３２】
この洗面台２２の排水口部材２４には、下方に向けて延びる排水排出管２４Ａが取り付けられており、この排水排出管２４Ａには、鉛直方向に向けて配置された延長配管２５を介して排水トラップ２８が接続されている。
【００３３】
（延長配管）
図２に示すように、延長配管２５は、直線状に伸びる直管部２６を備えている。直管部２６は、排水方向下流側に、排水口部材２４の排水排出管２４Ａと同一内径、同一外径とされた小径管部２６Ａを備えており、小径管部２６Ａの排水方向上流側に、排水排出管２４Ａが挿入される大径管部２６Ｂを備えている。なお、延長配管２５の軸線に直角な断面形状は円形である。
【００３４】
大径管部２６Ｂの外周には雄ネジ３０が形成されており、雄ネジ３０には手締めナット３２が着脱可能に取り付けられている。大径管部２６Ｂと排水口部材２４の排水排出管２４Ａとの間にパッキン３４を介在させると共に排水排出管２４Ａを大径管部２６Ｂに差し込んで、手締めナット３２を締め付けることで、排水口部材２４の排水排出管２４Ａに延長配管２５を連結することができる。
【００３５】
（排水トラップ）
図３に示すように、排水トラップ２８は、側面視で略Ｕ字形状とされて排水方向上流側に配置される第１屈曲部３６と、側面視で略逆Ｕ字形状とされて排水方向下流側に配置される第２屈曲部３８とが一体的に連結されてＳ字形状に形成されたトラップ形成管４０を備えている。言い換えれば、排水トラップ２８は、いわゆるＳトラップであり、一例として市販品を用いることができる。
【００３６】
第１屈曲部３６は、排水方向上流側に、鉛直方向に沿って延び、延長配管２５の小径管部２６Ａと同一内径、同一外径とされた直線部分４２が設けられている。直線部分４２の排水方向上流側の端部には、延長配管２５の小径管部２６Ａが挿入される大径管部４２Ａが形成されている。なお、第１屈曲部３６において、直線部分４２よりも排水方向下流側の部分は、直線部分４２と同一内径、同一外径とされている。また、この第１屈曲部３６には、排水の一部が封水ＳＷとして貯留される。
【００３７】
大径管部４２Ａの外周には雄ネジ４４が形成されており、雄ネジ４４には手締めナット４６が着脱可能に取り付けられている。大径管部４２Ａと延長配管２５の小径管部２６Ａとの間にパッキン４８を介在させると共に小径管部２６Ａを大径管部４２Ａに差し込んで、手締めナット４６を締め付けることで、延長配管２５に排水トラップ２８を連結することができる。
【００３８】
第２屈曲部３８は、排水方向下流側の端部に、後述するＬ字配管５６の鉛直部５６Ａが挿入される大径管部３８Ａが形成されており、大径管部３８Ａよりも排水方向上流側の部分は、第１屈曲部３６の大径管部４２Ａよりも排水方向下流側の部分と同一内径、同一外径とされている。なお、トラップ形成管４０は、軸線に直角な断面形状が円形である。
【００３９】
大径管部３８Ａの外周には雄ネジ５０が形成されており、雄ネジ５０には手締めナット５２が着脱可能に取り付けられている。大径管部３８ＡとＬ字配管５６の鉛直部５６Ａとの間にパッキン５４を介在させると共に鉛直部５６Ａを大径管部３８Ａに差し込んで、手締めナット５２を締め付けることで、排水トラップ２８に後述するＬ字配管５６を連結することができる。
【００４０】
図１に示すように、本実施形態のサイホン排水構造１０では、排水口部材２４の排水流入口（排水の流入する開口部）と排水トラップ２８の第１屈曲部３６の内部流路の底部（内部流路の下端）３６Ｂとの鉛直方向に沿って計測する第１高低差をＡ、排水トラップ２８の第２屈曲部３８の内部流路における曲率半径内側の湾曲部分の上端３８Ｔと第１屈曲部３６の底部３６Ｂとの鉛直方向に沿って計測する第２高低差をＢとしたときに、比Ａ／Ｂが３８０％以上に設定されている。本実施形態のサイホン排水構造１０においては、比Ａ／Ｂは３８０％以上に設定されていればよく、比Ａ／Ｂの上限値は、洗面台２２と床材２０との間に排水トラップ２８が配置可能な範囲内で決められるものであり、特に限定されない。なお、第２高低差Ｂは、封水ＳＷの高さ（封水深）と言い換えることもできる。
【００４１】
従来の排水構造では、水廻り器具の排水口部材に排水トラップを直に取り付けた構造が一般的であったが、本実施形態では、排水トラップ２８を排水口部材２４から離間させて床材２０に接近させているため、比Ａ／Ｂを３８０％以上にすることができる。
【００４２】
（Ｌ字配管）
図１に示すように、排水トラップ２８の排水方向下流側には、Ｌ字状に曲げられたＬ字配管５６が配置されている。Ｌ字配管５６は、排水トラップ２８の大径管部３８Ａに挿入されて鉛直方向に延びる鉛直部５６Ａ、スラブ１４の上に水平方向に配置されて水平方向に延びる水平部５６Ｂ、及び鉛直部５６Ａと水平部５６Ｂとを繋ぐ湾曲部５６Ｃを含んで構成されている。Ｌ字配管５６は、一例として硬質塩化ビニール樹脂等の合成樹脂で形成された市販品（例えば、エルボとも呼ばれる）を用いることができる。
なお、Ｌ字配管５６は、排水トラップ２８の大径管部４２Ａと大径管部３８Ａとを除いた排水トラップ２８の長手方向中間部分と同一内径、同一外径とされている。また、Ｌ字配管５６の軸線に直角な断面形状は円形である。
【００４３】
Ｌ字配管５６の排水方向下流側には、サイホン排水管５８の一部を構成する横引き管部材６０が配置されている。本実施形態の横引き管部材６０には、ＪＩＳＫ６７７８及びＪＩＳＫ６７９２に定められる呼び径が２０の可撓性を有する合成樹脂製の配管が用いられている。横引き管部材６０に用いる合成樹脂製の配管としては、例えば、可撓性を有するポリブテン管を用いることができるが、他の種類の合成樹脂製の配管を用いることもできる。また、横引き管部材６０は、呼び径が２０のものに限らず２５のものを用いてもよい。なお、Ｌ字配管５６と横引き管部材６０とは、継手６１を介して接続されている。
【００４４】
居室１６の外側には、横引き管部材６０の排水方向下流側（図１における二点鎖線で示す壁１８の左側）にメーターボックス６２が設けられている。
【００４５】
メーターボックス６２内には、サイホン排水管５８の一部を構成するＬ字状に曲げられた落し込み管６４が配置されている。落し込み管６４は、スラブ１４の上に配置されて水平方向に延びる水平部６４Ａ、鉛直方向に延びる鉛直部６４Ｂ、及び水平部６４Ａと鉛直部６４Ｂとを繋ぐ湾曲部６４Ｃを含んで構成されている。落し込み管６４は、一例として硬質塩化ビニール樹脂等の合成樹脂で形成された市販品（例えば、エルボとも呼ばれる）を用いることができる。
なお、横引き管部材６０と落し込み管６４の水平部６４Ａとは、継手６６を介して接続されている。
【００４６】
落し込み管６４の排水方向下流側には、サイホン排水管５８の一部を構成する上下方向に延びる竪管部材６８が配置されている。竪管部材６８の排水方向上下流側の端部は、継手７０を介して落し込み管６４の鉛直部６４Ｂに接続されている。竪管部材６８の排水方向下流側の端部は、排水立て管１２の中間部に取り付けられた合流継手７２に接続されている。本実施形態の竪管部材６８には、横引き管部材６０と同一の配管が用いられている。
【００４７】
なお、横方向に延びているＬ字配管５６の水平部５６Ｂ、横引き管部材６０、及び落し込み管６４の水平部６４Ａが、本発明のサイホン排水管の横引き管の一例であり、鉛直方向に延びている落し込み管６４の鉛直部６４Ｂ、及び竪管部材６８が、本発明のサイホン排水管の竪管の一例である。
【００４８】
（作用、効果）
次に、本実施形態のサイホン排水構造１０の作用、効果を説明する。
溜め流し等、洗面台２２から排出される単位時間当たりの排水量が較的多い場合、排水は、延長配管２５、排水トラップ２８、Ｌ字配管５６、横引き管部材６０を満水状態を維持して流れ、竪管部材６８に流れ込む。満水となった排水が重力により竪管部材６８内を落下すると、竪管部材６８内にサイホン力が発生し、竪管部材６８よりも上流側の排水は、サイホン力によって竪管部材６８に向かって吸引されて流下し、効率的に排水が行われる。
【００４９】
なお、洗面台２２から排水が排出されなくなると、排水方向下流側の臭気等が洗面台２２から排出されないように、排水トラップ２８の第１屈曲部３６には、排水の一部が封水ＳＷとして貯留される。
【００５０】
従来のサイホン排水構造では、洗面台において、洗い流しをした場合、洗面台に排水が滞留したり消滅したりを繰り返す場合があった。
【００５１】
一方、本実施形態のサイホン排水構造１０では、鉛直方向に沿って計測する洗面台２２の排水口部材２４の排水流入口と排水トラップ２８の第１屈曲部３６の底部３６Ｂとの第１の高低差Ａと、鉛直方向に沿って計測する第１屈曲部３６の底部３６Ｂと第２屈曲部３８の上端３８Ｔとの第２の高低差Ｂとの比Ａ／Ｂが、３８０％以上に設定されているため、排水口部材２４の排水流入口から排水トラップ２８までの排水の落差（水頭）を従来のサイホン排水構造に比較して増加させることができ、排水口部材２４から排水トラップ２８に向けて落下する排水の勢いを増すことができる。
【００５２】
これにより、例えば、排水中に、サイホン力が途切れて配管内の空気が排水口部材２４に向けて逆流するような場合であっても、逆流する空気に打ち勝つように勢いが増した排水が配管内を流下し、また、排水トラップ２８の封水ＳＷも下流側へ強く押し流すことができるので、洗い流しの場合に洗面台２２に排水が滞留することを抑制できる。
【００５３】
［第２の実施形態］
次に、本発明の第２の実施形態に係るサイホン排水構造１０を説明する。なお、第１の実施形態と同一構成には同一符号を付し、その説明は省略する。
【００５４】
図４に示すように、本実施形態のサイホン排水構造１０では、第１の実施形態の排水トラップ２８に比較して、第１屈曲部３６の直線部分４２が長く形成されており、排水口部材２４の排水排出管２４Ａに対して、延長配管２５を用いずに、排水トラップ２８が直接的に接続されている。
【００５５】
本実施形態のサイホン排水構造１０では、延長配管２５を用いていないので、第１の実施形態に比較して部品点数が削減することができる。なお、本実施形態のサイホン排水構造１０も、第１の実施形態と同様の作用、効果が得られる。
［第３の実施形態］
次に、本発明の第３の実施形態に係るサイホン排水構造１０を説明する。なお、第１の実施形態と同一構成には同一符号を付し、その説明は省略する。
本実施形態のサイホン排水構造１０には、図５に示す第１屈曲部３６と第２屈曲部３８とが別体となった排水トラップ２８が用いられている。
【００５６】
第１屈曲部３６の排水方向下流側の端部には、排水方向上流側の端部と同様に、外周には雄ネジ４４が形成された大径管部４２Ａが設けられており、この大径管部４２Ａに第２屈曲部３８の上流側の端部が差し込み可能となっている。そして、第１屈曲部３６の大径管部４２Ａと第２屈曲部３８との間にパッキン４８を介在させると共に第２屈曲部３８を大径管部４２Ａに差し込んで、手締めナット４６を締め付けることで、第１屈曲部３６と第２屈曲部３８とを連結することができる。
【００５７】
ところで、第１の実施形態の排水トラップ２８は、排水方向上流側の端部分と、排水方向下流側の端部分とが、水平方向に偏芯しているが、その偏芯距離が予め決まっている。したがって、施工の状態により、洗面台２２の排水口部材２４の排水排出管２４Ａの位置や、排水トラップ２８を接続する下流側のＬ字配管５６の鉛直部５６Ａの位置が、上記排水トラップ２８の偏心距離に合っていない場合には、排水トラップ２８を取り付けることが出来なくなる。
【００５８】
しかしながら、本実施形態の排水トラップ２８は、第１屈曲部３６と第２屈曲部３８との連結部分で第１屈曲部３６と第２屈曲部３８とを相対回転させることができるため、第１屈曲部３６の上流側の端部と第２屈曲部３８の下流側の端部との水平方向の偏芯距離を変更することができる。したがって、洗面台２２の排水口部材２４の排水排出管２４Ａの位置とＬ字配管５６の鉛直部５６Ａの位置との水平方向の離間距離に合わせて第１屈曲部３６の上流側の端部と第２屈曲部３８の下流側の端部との水平方向の偏芯距離を調節することで、排水トラップ２８を排水口部材２４の排水排出管２４ＡとＬ字配管５６の鉛直部５６Ａとに接続することができる。
【００５９】
［第４の実施形態］
次に、本発明の第４の実施形態に係るサイホン排水構造１０を説明する。なお、前述した実施形態と同一構成には同一符号を付し、その説明は省略する。
本実施形態の排水トラップ２８は、第１屈曲部３６の軸直角断面形状が図６（Ａ）に示すように円形であるが、第２屈曲部３８の軸直角断面の形状を長軸及び短軸を有する形状、一例として図６（Ｂ）に示すような楕円形状にしたものである。
【００６０】
図示は省略するが、本実施形態の第２屈曲部３８において、第１屈曲部３６の大径管部４２Ａに挿入される排水方向上流側の端部分、及びＬ字配管５６の鉛直部５６Ａが挿入される排水方向下流側の大径管部４２Ａの軸直角断面形状は円形であり、両端部分を除く長手方向中間部分の軸直角断面形状が楕円形状とされている。
【００６１】
また、本実施形態の排水トラップ２８においては、第１屈曲部３６の通路断面積（排水が通過する部分の面積。図６（Ａ）参照）ａと、第２屈曲部３８の通路断面積（排水が通過する部分の面積。図６（Ｂ）参照）ｂとが同一に設定されている。
【００６２】
本実施形態の排水トラップ２８では、図６（Ｃ），（Ｄ）に示すように、排水の通過する配管内の形状が円形から楕円形状に変わる部分に形成される段差部分７４で、排水中の塵等の異物（固形物）７６を引っ掛けることができる。
【００６３】
例えば、排水中の異物７６が、床材２０の下側に配置される横引き管部材６０や、下流側の竪管部材６８の内部で引っ掛かると、異物７６の引っ掛かった位置を特定することが困難であり、また、配管途中で引っ掛かった異物７６を容易に取り除くことが出来ない。
【００６４】
一方、本実施形態の排水トラップ２８のように、第１屈曲部３６と第２屈曲部３８とを分離可能な構造とし、かつ中間部に異物７６を引っ掛け易くする段差部分７４を設ければ、排水トラップ２８の下流側に異物７６が流れることを未然に抑制することができる。また、排水トラップ２８の中間部に設けた段差部分７４に引っ掛かった異物７６は、第１屈曲部３６と第２屈曲部３８とを分離することで容易に除去することができる。なお、異物７６の除去は、床材２０の上側で行うことができるので、一般ユーザーでも異物７６の除去容易に行なうことができる。
【００６５】
［第５の実施形態］
次に、本発明の第５の実施形態に係るサイホン排水構造１０を説明する。なお、前述した実施形態と同一構成には同一符号を付し、その説明は省略する。
本実施形態のサイホン排水構造１０では、図７（Ａ）に示す延長配管２５が、排水口部材２４の排水排出管２４Ａに接続されている。
【００６６】
本実施形態の延長配管２５は、小径管部２６Ａの排水方向下流側に小径管部２６Ａよりも小径とされた細径管部２６Ｃが形成されている。
【００６７】
図７（Ｂ）に示すように、延長配管２５の内周において、小径管部２６Ａと細径管部２６Ｃとの間には段差面７８が形成されている。小径管部２６Ａに対する段差面７８の角度θは、９０〜１００°の範囲内に設定することが好ましい。
また、径方向に沿って計測する段差面７８の段差寸法ＤＬは、５〜１０ｍｍの範囲内に設定することが好ましい。
【００６８】
洗面台２２で排水の溜め流しした場合、洗面台２２の底部で排水が旋回して渦を巻き、渦の中央の空洞部分、即ち、空気が配管内に入り込んでサイホン排水管５８が満流になる事が遅くなり、結果として、サイホン力の発生が遅くなる場合がある。
【００６９】
本実施形態のサイホン排水構造１０では、延長配管２５内に段差面７８を設けることで、管径が変化する部分で排水が抵抗を受け、排水を洗面台２２に流した際に洗面台２２底部で形成される渦の発生が抑制され、段差面７８の下流側の配管内を満流にし易くなり（内径を一定にした場合に比較して）、サイホン力を迅速に発生させることができる。
【００７０】
さらに、延長配管２５の管径を途中で小径にすることで、洗い流しの場合においても段差面７８の下流側を早く満流にすることができる。
【００７１】
なお、段差面７８の角度θが１００°を超えると排水の旋回を抑制する効果が得難くなり、段差面７８の角度θが９０°を下回ると段差面７８に排水中の塵等の異物が引っ掛かり易くなると共に、異物が溜まる原因となる。
【００７２】
また、段差寸法ＤＬが５ｍｍ未満になると渦の発生を抑制する効果が得られなくなり、１０ｍｍを超えると段差面７８より下流側の配管内径が細くなり過ぎて排水能力が低下する。
【００７３】
［第６の実施形態］
次に、本発明の第６の実施形態に係るサイホン排水構造１０を説明する。なお、前述した実施形態と同一構成には同一符号を付し、その説明は省略する。
【００７４】
図８（Ａ）に示すように、本実施形態の延長配管２５では、大径管部２６Ｂの排水方向下流側の端部に連続して細径管部２６Ｃが形成されており、延長配管２５の内周において、大径管部２６Ｂと細径管部２６Ｃとの間に段差面８０が形成されている。
【００７５】
本実施形態の延長配管２５では、図８（Ｂ）に示すように、大径管部２６Ｂに排水口部材２４の排水排出管２４Ａを挿入すると、排水排出管２４Ａの内周面から配管径方向内側へ段差面８０が突出する。なお、小径管部２６Ａの内周面から計測する段差面８０の突出寸法ＴＬは、第５の実施形態の段差寸法ＤＬと同様に、５〜１０ｍｍの範囲内に設定することが好ましい。
【００７６】
本実施形態においても、第５の実施形態と同様に、洗面台２２の底部で形成される渦の発生が抑制され、段差面８０の下流側の配管内を満流にし易くなり、サイホン力を迅速に発生させることができる。また、洗い流しの場合においても段差面８０の下流側を早く満流にすることができる。
【００７７】
［第７の実施形態］
次に、本発明の第７の実施形態に係るサイホン排水構造１０を説明する。なお、前述した実施形態と同一構成には同一符号を付し、その説明は省略する。
【００７８】
本実施形態のサイホン排水構造１０では、図９に示す排水トラップ２８が、延長配管２５に接続されている。本実施形態の排水トラップ２８では、その内径が、第１屈曲部３６の直線部分４２の途中から縮径されており、直線部分４２の途中に、第５の実施形態の延長配管２５の内周に形成した段差面７８と同様の形状とされた段差面８２が形成されている。
【００７９】
本実施形態においても、第５の実施形態と同様に、洗面台２２の底部で形成される渦の発生が抑制され、段差面８２の下流側の配管内を満流にし易くなり（内径を一定にした場合に比較して）、サイホン力を迅速に発生させることができる。また、洗い流しの場合においても段差面８２の下流側を早く満流にすることができる。
【００８０】
［第８の実施形態］
次に、本発明の第８の実施形態に係るサイホン排水構造１０を説明する。なお、前述した実施形態と同一構成には同一符号を付し、その説明は省略する。
【００８１】
本実施形態のサイホン排水構造１０では、図１０に示す排水口部材２４が、洗面台２２に設けられている。本実施形態の排水口部材２４には、長手方向中間部に段差面８４が設けられている。したがって、洗面台２２の底部で形成される渦の発生が抑制され、段差面８４の下流側の配管内を満流にし易くなり（内径を一定にした場合に比較して）、サイホン力を迅速に発生させることができる。また、洗い流しの場合においても段差面８４の下流側を早く満流にすることができる。
【００８２】
［第９の実施形態］
次に、本発明の第９の実施形態に係るサイホン排水構造１０を説明する。なお、前述した実施形態と同一構成には同一符号を付し、その説明は省略する。
【００８３】
本実施形態のサイホン排水構造１０では、図１１に示す延長配管２５が、排水口部材２４の排水排出管２４Ａ(図１１では図示省略）と排水トラップ２８(図１１では図示省略）に接続される。本実施形態の延長配管２５は、排水方向上流側の端部分と、排水方向下流側の端部分とが水平方向に偏芯（水平方向の距離Ｌ）している。
【００８４】
このように排水方向上流側の端部分と排水方向下流側の端部分とが水平方向に偏芯している延長配管２５を排水口部材２４の排水排出管２４Ａと排水トラップ２８との間に接続し、延長配管２５、及び排水トラップ２８を接続部分で回転させ、洗面台２２の排水口部材２４の排水排出管２４Ａの位置とＬ字配管５６の鉛直部５６Ａの位置との偏芯距離に合わせて延長配管２５の上流側の端部と排水トラップ２８の第２屈曲部３８の下流側の端部との水平方向の偏芯距離を調節することで、延長配管２５と排水トラップ２８とを排水口部材２４の排水排出管２４ＡとＬ字配管５６の鉛直部５６Ａとに接続することができる。
【００８５】
（試験例）
本発明の効果を確かめるために、比Ａ／Ｂの値が異なる複数のサイホン排水構造を試作し、洗面台で流し洗いした際に、洗面台に排水が滞留するか否かを調べた。
試験に用いた排水構造は、図１に示すサイホン排水構造において、排水トラップ２８の高低差Ｂを固定し、高低差Ａを種々変更して比Ａ／Ｂの値を変更した。なお、高低差Ａは、長さの異なる延長配管２５を用いて変更した。  
高低差Ｂ：６５ｍｍ
高低差Ａ：１５０〜２７０ｍｍ
また、排水口部材２４の排水排出管２４Ａ、延長配管２５、排水トラップ２８、Ｌ字配管５６、横引き管部材６０、落し込み管６４、及び竪管部材６８の内径は、４０ｍｍ（各々の配管の内径が異なっている場合、各々の配管の内径の記載をお願い致します）とした。また、サイホン排水管５８のサイホン水頭Ｈｓ（図１参照）は９００ｍｍとした。
試験は、水道の蛇口から洗面台へ水を流し続け、洗面台に排水が滞留するか否かを目視して調べた。
【表１】
2019214906.tif 000003
【００８６】
試験の結果から、比Ａ／Ｂを３８０％以上に設定することで、洗い流しを行なっても洗面台に排水が滞留しないことが分かる。  
【００８７】
［その他の実施形態］
以上、本発明の一実施形態について説明したが、本発明は、上記に限定されるものでなく、上記以外にも、その主旨を逸脱しない範囲内において種々変形して実施可能であることは勿論である。
【００８８】
上記実施形態の排水口部材２４では、排水排出管２４Ａが下方に向けて鉛直方向に延びていたが、排水排出管２４Ａは水平方向に向けて延びていてもよい。この場合、Ｌ字形状に曲がった延長配管２５を用いて排水排出管２４Ａと排水トラップ２８とを接続することができる。
【００８９】
上記実施形態では水廻り器具として洗面台２２を例に挙げたが、水廻り器具は、洗面台２２以外の、例えば、キッチンのシンク等であってもよく、排水を排出する器具であれば特に種類は問わない。
【符号の説明】
【００９０】
１０…サイホン排水構造、２２…洗面台、２４…排水口部材、２５…延長配管、２８…排水トラップ、５８…サイホン排水管、６０…横引き管、６４…落し込み管、６８…竪管、３６…第１屈曲部、３６Ｂ…第１屈曲部の底部、３８…第２屈曲部、３８Ｔ…第２屈曲部の内部流路における曲率半径内側の上端、Ａ…第１の高低差、Ｂ…第２の高低差、７８…段差面、８０…段差面、８２…段差面、８４…段差面
【図１】
2019214906.tif 000004
【図２】
2019214906.tif 000005
【図３】
2019214906.tif 000006
【図４】
2019214906.tif 000007
【図５】
2019214906.tif 000008
【図６】
2019214906.tif 000009
【図７】
2019214906.tif 000010
【図８】
2019214906.tif 000011
【図９】
2019214906.tif 000012
【図１０】
2019214906.tif 000013
【図１１】
2019214906.tif 000014